(57)【要約】【課題】船体摩擦抵抗低減装置において、船体の空気吹き出し口への海洋生物の付着を防止すると共にそれにかかる消費電力を抑制可能とする。【解決手段】船体１１の船底部１２に空気吹き出し口１４ａ，１４ｂ，１４ｃ，１４ｄ，１４ｅを有する吹き出しチャンバ１３ａ，１３ｂ，１３ｃ，１３ｄ，１３ｅを固定し、吹き出しチャンバ１３ａ，１３ｂ，１３ｃ，１３ｄ，１３ｅに空気を供給する空気供給経路と、吹き出しチャンバ１３ａ，１３ｂ，１３ｃ，１３ｄ，１３ｅに海洋生物付着防止液を供給する海洋生物付着防止液供給経路とを連結し、各経路に開閉弁２３，３４を設けることで、いずれか一方を選択的に連通可能とする。【選択図】      図１
2010120608.tif 000002
【特許請求の範囲】
【請求項１】
船体の底面に設けられる空気吹き出し口と、
該空気吹き出し口に空気を供給する空気供給手段と、
前記空気吹き出し口に海洋生物付着防止液を供給する海洋生物付着防止液供給手段と、
前記空気吹き出し口に対して前記空気供給手段と前記海洋生物付着防止液供給手段のいずれか一方を選択的に連通させる切換手段と、
を備えることを特徴とする船体摩擦抵抗低減装置。
【請求項２】
前記空気供給手段は、空気供給源と、該空気供給源と前記空気吹き出し口とを連結する空気供給経路とを有し、
前記海洋生物付着防止液供給手段は、海洋生物付着防止液供給源と、該海洋生物付着防止液供給源と前記空気供給経路とを連結する海洋生物付着防止液供給経路とを有し、
前記切換手段は、前記空気供給経路における前記海洋生物付着防止液供給経路との連結部より前記空気供給源側に設けられた第１開閉弁と、前記海洋生物付着防止液供給経路に設けられた第２開閉弁とを有する、
ことを特徴とする請求項１に記載の船体摩擦抵抗低減装置。
【請求項３】
前記船体の底部に幅方向に沿って複数の吹き出しチャンバが設けられ、該吹き出しチャンバに前記空気吹き出し口が複数設けられ、
前記空気供給経路は、前記空気供給源から延出された主空気供給経路と、該主空気供給経路から分岐して前記複数の吹き出しチャンバに連結された複数の副空気供給経路とを有し、
前記海洋生物付着防止液供給経路は、前記海洋生物付着防止液供給源から延出された主海洋生物付着防止液供給経路と、該主海洋生物付着防止液供給経路から分岐して前記複数の副空気供給経路に連結された複数の副主海洋生物付着防止液供給経路とを有する、
ことを特徴とする請求項２に記載の船体摩擦抵抗低減装置。
【請求項４】
前記船体の底部に幅方向に沿って複数の吹き出しチャンバが設けられ、該吹き出しチャンバに前記空気吹き出し口が複数設けられ、
前記空気供給経路は、前記空気供給源から延出された主空気供給経路と、該主空気供給経路から分岐して前記複数の吹き出しチャンバに連結された複数の副空気供給経路とを有し、
前記海洋生物付着防止液供給経路は、前記主空気供給経路に連結される、
ことを特徴とする請求項２に記載の船体摩擦抵抗低減装置。
【請求項５】
前記切換手段は、船舶の航行速度が予め設定されて所定の低速度以下で、前記空気吹き出し口に対して前記海洋生物付着防止液供給手段を連通させる、
ことを特徴とする請求項２に記載の船体摩擦抵抗低減装置。
【発明の詳細な説明】
【技術分野】
【０００１】
本発明は、航行中の船体の船底部から空気を吹き出し、船体の外面を気泡層で被覆することで、船体外面に作用する水の摩擦抵抗を低減させる船体摩擦抵抗低減装置に関するものである。
【背景技術】
【０００２】
航行中の船舶では、一般に、船底部の没水外面に水の摩擦抵抗が作用しており、船体抵抗の大部分が船底部における水の相対流により生じる摩擦抵抗となっている。そのため、船舶の航行時に、船体の外面を空気流で被覆することで、船体の摩擦抵抗の低減する技術が提案されている。
【０００３】
このような船体摩擦抵抗低減装置では、船底部に開口部を形成し、この開口部に気体室を配置し、この気体室に多数の空気吹き出し口を形成し、コンプレッサからの空気送給配管を気体室に連結して構成している。従って、コンプレッサにより空気を空気送給配管を通して気体室に供給すると、多数の空気吹き出し口から空気が吹き出し、船体の外面を気泡層で被覆することで、船体外面に作用する水の摩擦抵抗を低減させることができる。
【０００４】
ところで、船舶の航行中は、船体の船底部から空気を吹き出して船体の外面を気泡層で被覆しているものの、停泊中は、船体の船底部からの空気の吹き出しを停止している。そのため、海水が多数の空気吹き出し口を通して気体室に侵入し、貝類や藻類などの海洋生物が空気吹き出し口などに付着し、これを閉塞させてしまうおそれがある。
【０００５】
そこで、船体摩擦抵抗低減装置にて、船体の空気吹き出し口への海洋生物の付着を防止するものとして、例えば、下記特許文献１に記載されたものがある。この特許文献１に記載された船舶の摩擦抵抗低減装置では、空気吹き出し器の内部に塩素ガスを吹き込むことにより、海生生物の忌避する状態を作り、海生生物の付着、蓄積を抑制して空気吹き出し部の閉塞を防止している。
【０００６】
【特許文献１】特開平１１−３１０１８８号公報
【発明の開示】
【発明が解決しようとする課題】
【０００７】
上述した従来の船舶の摩擦抵抗低減装置にあっては、空気送給パイプの中間位置に、加圧空気に塩素ガスを混入させるための混合器を設け、この混合器に海水を電気分解して塩素ガスを発生させるための塩素ガス発生装置を接続している。即ち、加圧空気に対して塩素ガスを混入させてから、この混合ガスを空気吹き出し口から水中に吹き出している。そのため、船舶が停泊中であっても、常時、空気送給装置、つまり、コンプレッサを駆動する必要があり、消費電力が増加してしまうという問題がある。
【０００８】
本発明は上述した課題を解決するものであり、船体の空気吹き出し口への海洋生物の付着を防止すると共にそれにかかる消費電力を抑制可能とする船体摩擦抵抗低減装置を提供することを目的とする。
【課題を解決するための手段】
【０００９】
上記の目的を達成するための本発明の船体摩擦抵抗低減装置は、船体の底面に設けられる空気吹き出し口と、該空気吹き出し口に空気を供給する空気供給手段と、前記空気吹き出し口に海洋生物付着防止液を供給する海洋生物付着防止液供給手段と、前記空気吹き出し口に対して前記空気供給手段と前記海洋生物付着防止液供給手段のいずれか一方を選択的に連通させる切換手段と、を備えることを特徴とするものである。
【００１０】
また、本発明の船体摩擦抵抗低減装置では、前記空気供給手段は、空気供給源と、該空気供給源と前記空気吹き出し口とを連結する空気供給経路とを有し、前記海洋生物付着防止液供給手段は、海洋生物付着防止液供給源と、該海洋生物付着防止液供給源と前記空気供給経路とを連結する海洋生物付着防止液供給経路とを有し、前記切換手段は、前記空気供給経路における前記海洋生物付着防止液供給経路との連結部より前記空気供給源側に設けられた第１開閉弁と、前記海洋生物付着防止液供給経路に設けられた第２開閉弁とを有する、ことを特徴としている。
【００１１】
また、本発明の船体摩擦抵抗低減装置では、前記船体の底部に幅方向に沿って複数の吹き出しチャンバが設けられ、該吹き出しチャンバに前記空気吹き出し口が複数設けられ、前記空気供給経路は、前記空気供給源から延出された主空気供給経路と、該主空気供給経路から分岐して前記複数の吹き出しチャンバに連結された複数の副空気供給経路とを有し、前記海洋生物付着防止液供給経路は、前記海洋生物付着防止液供給源から延出された主海洋生物付着防止液供給経路と、該主海洋生物付着防止液供給経路から分岐して前記複数の副空気供給経路に連結された複数の副主海洋生物付着防止液供給経路とを有する、ことを特徴としている。
【００１２】
また、本発明の船体摩擦抵抗低減装置では、前記船体の底部に幅方向に沿って複数の吹き出しチャンバが設けられ、該吹き出しチャンバに前記空気吹き出し口が複数設けられ、前記空気供給経路は、前記空気供給源から延出された主空気供給経路と、該主空気供給経路から分岐して前記複数の吹き出しチャンバに連結された複数の副空気供給経路とを有し、前記海洋生物付着防止液供給経路は、前記主空気供給経路に連結される、ことを特徴としている。
【００１３】
また、本発明の船体摩擦抵抗低減装置では、前記切換手段は、船舶の航行速度が予め設定されて所定の低速度以下で、前記空気吹き出し口に対して前記海洋生物付着防止液供給手段を連通させる、ことを特徴としている。
【発明の効果】
【００１４】
請求項１の船体摩擦抵抗低減装置によれば、船体の底面に設けられる空気吹き出し口と、空気吹き出し口に空気を供給する空気供給手段と、空気吹き出し口に海洋生物付着防止液を供給する海洋生物付着防止液供給手段と、空気吹き出し口に対して空気供給手段と海洋生物付着防止液供給手段のいずれか一方を選択的に連通させる切換手段とを設けている。従って、切換手段により空気吹き出し口に対して空気供給手段を連通させると、空気吹き出し口から船体の底面に空気を吹き出すことで、船体外面に作用する水の摩擦抵抗を低減することができる一方、切換手段により空気吹き出し口に対して海洋生物付着防止液供給手段を連通させると、空気吹き出し口から海洋生物付着防止液を吹き出すことで、この船体の空気吹き出し口への海洋生物の付着を防止することができ、このとき、空気供給手段を停止することができることから、消費電力を抑制することができる。
【００１５】
また、本発明の船体摩擦抵抗低減装置によれば、空気供給手段として、空気供給源と、空気供給源と空気吹き出し口とを連結する空気供給経路とを設け、海洋生物付着防止液供給手段として、海洋生物付着防止液供給源と、海洋生物付着防止液供給源と空気供給経路とを連結する海洋生物付着防止液供給経路とを設け、切換手段を、空気供給経路における海洋生物付着防止液供給経路との連結部より空気供給源側に設けられた第１開閉弁と、海洋生物付着防止液供給経路に設けられた第２開閉弁とで構成したので、切換手段を空気供給経路の第１開閉弁と海洋生物付着防止液供給経路の第２開閉弁により構成することで、各開閉弁を開閉操作するだけで容易に空気と洋生物付着防止液とを切換えることができる。
【００１６】
また、本発明の船体摩擦抵抗低減装置によれば、船体の底部に幅方向に沿って複数の吹き出しチャンバを設け、吹き出しチャンバに空気吹き出し口を複数設け、空気供給経路として、空気供給源から延出された主空気供給経路と、主空気供給経路から分岐して複数の吹き出しチャンバに連結された複数の副空気供給経路とを設け、海洋生物付着防止液供給経路として、海洋生物付着防止液供給源から延出された主海洋生物付着防止液供給経路と、主海洋生物付着防止液供給経路から分岐して複数の副空気供給経路に連結された複数の副主海洋生物付着防止液供給経路とを設けるので、海洋生物付着防止液供給源を海洋生物付着防止液供給経路を介して各副空気供給経路に連結することで、複数の吹き出しチャンバの各空気吹き出し口に対して主海洋生物付着防止液を適正に供給することができ、空気吹き出し口への海洋生物の付着を適正に防止することができる。
【００１７】
また、本発明の船体摩擦抵抗低減装置によれば、船体の底部に幅方向に沿って複数の吹き出しチャンバを設け、吹き出しチャンバに空気吹き出し口を複数設け、空気供給経路として、空気供給源から延出された主空気供給経路と、主空気供給経路から分岐して複数の吹き出しチャンバに連結された複数の副空気供給経路とを設け、海洋生物付着防止液供給経路を主空気供給経路に連結するので、海洋生物付着防止液供給源を海洋生物付着防止液供給経路を介して主空気供給経路に連結することで、配管構成を簡素化して設備の小型化及び低コスト化を可能とすることができる。
【００１８】
また、本発明の船体摩擦抵抗低減装置によれば、切換手段は、船舶の航行速度が予め設定されて所定の低速度以下で、空気吹き出し口に対して海洋生物付着防止液供給手段を連通するので、船体の外面に気泡層を形成して水の摩擦抵抗を十分に低減することができない所定の低速度以下で、空気吹き出し口に海洋生物付着防止液を供給することで、船体外面に作用する水の摩擦抵抗の低減と、空気吹き出し口への海洋生物の付着防止とを両立し、最適な消費電力の抑制を可能とすることができる。
【発明を実施するための最良の形態】
【００１９】
以下に添付図面を参照して、本発明に係る船体摩擦抵抗低減装置の好適な実施例を詳細に説明する。なお、この実施例により本発明が限定されるものではない。
【実施例１】
【００２０】
図１は、本発明の実施例１に係る船体摩擦抵抗低減装置を表す概略構成図である。
【００２１】
実施例１の船体摩擦抵抗低減装置において、図１に示すように、船舶における船体１１の船底部１２には、複数（本実施例では、５個）の吹き出しチャンバ１３ａ，１３ｂ，１３ｃ，１３ｄ，１３ｅが船体１１の幅方向に沿って直列に並んで配置されている。そして、この各吹き出しチャンバ１３ａ，１３ｂ，１３ｃ，１３ｄ，１３ｅの下面部には、複数の空気吹き出し口１４ａ，１４ｂ，１４ｃ，１４ｄ，１４ｅが、吹き出しチャンバ１３ａ，１３ｂ，１３ｃ，１３ｄ，１３ｅの長手方向、つまり、船体１１の幅方向に沿って形成されている。
【００２２】
実際には、船底部１２に船体１１の幅方向に沿ってスリット状の開口が形成されており、この開口を船体１１の内部から閉塞するように吹き出しチャンバ１３ａ，１３ｂ，１３ｃ，１３ｄ，１３ｅが溶接等により固定されており、この吹き出しチャンバ１３ａ，１３ｂ，１３ｃ，１３ｄ，１３ｅの下面、つまり、船体１１の外部に露出するように、複数の空気吹き出し口１４ａ，１４ｂ，１４ｃ，１４ｄ，１４ｅが形成されている。
【００２３】
この場合、吹き出しチャンバ１３ａ，１３ｂ，１３ｃ，１３ｄ，１３ｅ及び空気吹き出し口１４ａ，１４ｂ，１４ｃ，１４ｄ，１４ｅは、船体１１における船首側に設けることが望ましく、且つ、船底部１２における平坦部に設けることが望ましい。そして、吹き出しチャンバ１３ａ，１３ｂ，１３ｃ，１３ｄ，１３ｅ及び空気吹き出し口１４ａ，１４ｂ，１４ｃ，１４ｄ，１４ｅの配置位置は、船体１１の幅方向に対してその全域に設けることが望ましいが、船底部１２の形状や剛性に応じて船体１１の前後に分割して配置したり、千鳥状に配置してもよい。
【００２４】
一方、船体１１の内部には、ブロア１５が設置されており、このブロア１５は、駆動モータ１６により駆動して空気を供給可能であり、駆動モータ１６の回転数を調整することで、空気の供給量を調整することができる。この場合、図示しない制御装置は、船舶の航行速度に応じて駆動モータ１６を制御し、ブロア１５による空気供給量、つまり、上述した空気吹き出し口１４ａ，１４ｂ，１４ｃ，１４ｄ，１４ｅから空気吹き出し流量を調整する。具体的には、船舶の航行速度が上昇するほど、ブロア１５による空気供給量、つまり、空気吹き出し口１４ａ，１４ｂ，１４ｃ，１４ｄ，１４ｅから空気吹き出し流量を増量することが望ましい。
【００２５】
ブロア１５は、空気取り込み側に大気に開放される空気取り込み管１７が連結される一方、空気供給側には空気供給管１８が連結され、この空気供給管１８はメインチャンバ１９に連結され、中途部に開閉弁２０が装着されている。
【００２６】
メインチャンバ１９は、ブロア１５により供給された空気を所定量、所定圧で貯留することができる。このメインチャンバ１９には、主空気供給経路２１の基端部が連結され、この主空気供給経路２１の先端部は複数（本実施例では、５個）の副空気供給経路２２ａ，２２ｂ，２２ｃ，２２ｄ，２２ｅに分岐されている。各副空気供給経路２２ａ，２２ｂ，２２ｃ，２２ｄ，２２ｅは、先端部が各吹き出しチャンバ１３ａ，１３ｂ，１３ｃ，１３ｄ，１３ｅの上部にそれぞれ連結されている。そして、主空気供給経路２１には、開閉弁（第１開閉弁）２３が装着されている。また、各副空気供給経路２２ａ，２２ｂ，２２ｃ，２２ｄ，２２ｅには、主空気供給経路２１との分岐部（連結部）の近傍に位置して流量調整弁２４ａ，２４ｂ，２４ｃ，２４ｄ，２４ｅが装着され、各吹き出しチャンバ１３ａ，１３ｂ，１３ｃ，１３ｄ，１３ｅの近傍（直前）に位置して遮断弁２５ａ，２５ｂ，２５ｃ，２５ｄ，２５ｅが装着されている。
【００２７】
なお、本実施例では、主空気供給経路２１と副空気供給経路２２ａ，２２ｂ，２２ｃ，２２ｄ，２２ｅにより本発明の空気供給経路が構成される。また、ブロア１５と駆動モータ１６により本発明の空気供給源が構成される。そして、ブロア１５と空気供給管１８とメインチャンバ１９と主空気供給経路２１と副空気供給経路２２ａ，２２ｂ，２２ｃ，２２ｄ，２２ｅにより本発明の空気供給手段が構成される。また、必要に応じて各種弁が含まれる。
【００２８】
また、船体１１の内部には、ポンプ２６が設置されており、このポンプ２６は、駆動モータ２７により駆動して海水を供給可能であり、駆動モータ２７の回転数を調整することで、海水の供給量を調整することができる。このポンプ２６は、海水取り込み側に海水に連通する海水取り込み管２８が連結される一方、海水供給側には海水供給管２９が連結され、この海水供給管２９は海洋生物付着防止装置３０に連結され、中途部に開閉弁３１が装着されている。
【００２９】
海洋生物付着防止装置３０は、海水を電気分解して次亜塩素酸ソーダを生成し、生成した次亜塩素酸ソーダを海水に混合して海洋生物付着防止液を生成するものである。なお、この海洋生物付着防止装置３０は、この構成に限定されるものではなく、塩素などの消毒、殺菌、酸化力を有する液体を水に混合して海洋生物付着防止液を生成することができればよいものである。
【００３０】
この海洋生物付着防止装置３０には、主海洋生物付着防止液供給経路３２の基端部が連結され、この主海洋生物付着防止液供給経路３２の先端部は複数（本実施例では、５個）の副海洋生物付着防止液供給経路３３ａ，３３ｂ，３３ｃ，３３ｄ，３３ｅに分岐されている。各副海洋生物付着防止液供給経路３３ａ，３３ｂ，３３ｃ，３３ｄ，３３ｅは、先端部が各副空気供給経路２２ａ，２２ｂ，２２ｃ，２２ｄ，２２ｅにそれぞれ連結されている。この場合、各副海洋生物付着防止液供給経路３３ａ，３３ｂ，３３ｃ，３３ｄ，３３ｅの先端部は、各副空気供給経路２２ａ，２２ｂ，２２ｃ，２２ｄ，２２ｅにおける流量調整弁２４ａ，２４ｂ，２４ｃ，２４ｄ，２４ｅより主空気供給経路２１側に連結されている。そして、主海洋生物付着防止液供給経路３２には、開閉弁（第２開閉弁）３４が装着されている。また、各副海洋生物付着防止液供給経路３３ａ，３３ｂ，３３ｃ，３３ｄ，３３ｅには、流量調整弁３５ａ，３５ｂ，３５ｃ，３５ｄ，３５ｅが装着されている。
【００３１】
なお、本実施例では、主海洋生物付着防止液供給経路３２と副海洋生物付着防止液供給経路３３ａ，３３ｂ，３３ｃ，３３ｄ，３３ｅと副空気供給経路２２ａ，２２ｂ，２２ｃ，２２ｄ，２２ｅにより本発明の海洋生物付着防止液供給経路が構成される。また、ポンプ２６と駆動モータ２７により本発明の海洋生物付着防止液供給源が構成される。そして、ポンプ２６と駆動モータ２７と海洋生物付着防止装置３０と主海洋生物付着防止液供給経路３２と副海洋生物付着防止液供給経路３３ａ，３３ｂ，３３ｃ，３３ｄ，３３ｅと副空気供給経路２２ａ，２２ｂ，２２ｃ，２２ｄ，２２ｅにより本発明の海洋生物付着防止液供給手段が構成される。また、必要に応じて各種弁が含まれる。
【００３２】
そして、本実施例では、空気吹き出し口１４ａ，１４ｂ，１４ｃ，１４ｄ，１４ｅ（吹き出しチャンバ１３ａ，１３ｂ，１３ｃ，１３ｄ，１３ｅ）に対して、上述した空気供給手段と海洋生物付着防止液供給手段のいずれか一方を選択的に連通させる切換手段を設けている。この場合、主空気供給経路２１に設けられた開閉弁（第１開閉弁）２３と、主海洋生物付着防止液供給経路３２に設けられた開閉弁（第２開閉弁）３４が、本発明の切換手段として機能する。
【００３３】
この場合、船舶の乗組員は、船舶の航行速度が予め設定されて所定の低速度以下で、空気吹き出し口１４ａ，１４ｂ，１４ｃ，１４ｄ，１４ｅに対して海洋生物付着防止液供給手段を連通させる。即ち、船舶が低速度で航行しているときには、空気吹き出し口１４ａ，１４ｂ，１４ｃ，１４ｄ，１４ｅから空気を吹き出しても、船体１１の外面に気泡層を十分に形成することが困難である。そのため、船舶の航行速度が低速度であるとき、または、港などに停泊しているときには、空気吹き出し口１４ａ，１４ｂ，１４ｃ，１４ｄ，１４ｅから海洋生物付着防止液を吹き出すことで、空気吹き出し口１４ａ，１４ｂ，１４ｃ，１４ｄ，１４ｅへの海洋生物の付着を防止する。
【００３４】
具体的に説明すると、船舶が所定の低速度より速い航行速度で航行するとき、開閉弁２０，２３及び遮断弁２５ａ，２５ｂ，２５ｃ，２５ｄ，２５ｅを開放して主空気供給経路２１を連通する一方、開閉弁３１，３４を閉止して主海洋生物付着防止液供給経路３２を遮断する。この状態で、駆動モータ１６によりブロア１５を作動すると、メインチャンバ１９に所定量・所定圧の空気が貯留された後、この空気が主空気供給経路２１から各副空気供給経路２２ａ，２２ｂ，２２ｃ，２２ｄ，２２ｅを通して吹き出しチャンバ１３ａ，１３ｂ，１３ｃ，１３ｄ，１３ｅに供給され、各空気吹き出し口１４ａ，１４ｂ，１４ｃ，１４ｄ，１４ｅから海水側に向けて吹き出される。すると、船舶が航行する速度に応じて、各空気吹き出し口１４ａ，１４ｂ，１４ｃ，１４ｄ，１４ｅから吹き出された空気が船尾側に流れ、少なくとも船底部１２の外面に気泡層が形成される。そのため、船体１１外面に作用する水の摩擦抵抗が低減される。
【００３５】
なお、この場合、船舶が港に停泊している間に、開閉弁２０のみを開閉して開閉弁２３を閉止した状態で、駆動モータ１６によりブロア１５を作動し、予め、メインチャンバ１９に所定量・所定圧の空気を貯留しておくことが望ましい。また、船舶の航行中に、各空気吹き出し口１４ａ，１４ｂ，１４ｃ，１４ｄ，１４ｅから空気を吹き出しているときには、駆動モータ１６によるブロア１５の作動を制御することで、船舶の航行速度に応じた空気吹き出し流量に調整する。
【００３６】
そして、船舶の航行速度が所定の低速度以下となったり、港に停泊するときには、開閉弁２０，２３を閉止して主空気供給経路２１を遮断すると共に、駆動モータ１６を停止してブロア１５により空気の供給を停止する。一方、開閉弁３１，３４を開放して主海洋生物付着防止液供給経路３２を連通する。この状態で、駆動モータ２７によりポンプ２６を作動し、海洋生物付着防止装置３０へ海水を供給すると、ここで海水を電気分解して次亜塩素酸ソーダを生成し、生成した次亜塩素酸ソーダを海水に混合して海洋生物付着防止液を生成する。そして、生成されたこの海洋生物付着防止液が主海洋生物付着防止液供給経路３２から各副海洋生物付着防止液供給経路３３ａ，３３ｂ，３３ｃ，３３ｄ，３３ｅを通って各副空気供給経路２２ａ，２２ｂ，２２ｃ，２２ｄ，２２ｅに供給される。そして、副海洋生物付着防止液が各副空気供給経路２２ａ，２２ｂ，２２ｃ，２２ｄ，２２ｅを通して吹き出しチャンバ１３ａ，１３ｂ，１３ｃ，１３ｄ，１３ｅに供給され、各空気吹き出し口１４ａ，１４ｂ，１４ｃ，１４ｄ，１４ｅから海水側に向けて海洋生物付着防止液が吹き出される。
【００３７】
すると、各空気吹き出し口１４ａ，１４ｂ，１４ｃ，１４ｄ，１４ｅから海洋生物付着防止液が吹き出されることで、この空気吹き出し口１４ａ，１４ｂ，１４ｃ，１４ｄ，１４ｅへの海洋生物の付着が防止される。この場合、海洋生物付着防止液は、空気吹き出し口１４ａ，１４ｂ，１４ｃ，１４ｄ，１４ｅから海水に向けて吹き出されるが、その吹き出し速度は低速でよく、空気吹き出し口１４ａ，１４ｂ，１４ｃ，１４ｄ，１４ｅから少量の海洋生物付着防止液を吹き出すことで、この海洋生物付着防止液を空気吹き出し口１４ａ，１４ｂ，１４ｃ，１４ｄ，１４ｅの近傍に滞留させ、海洋生物の付着を防止する。
【００３８】
即ち、空気吹き出し口１４ａ，１４ｂ，１４ｃ，１４ｄ，１４ｅからの海洋生物付着防止液の吹き出し速度は、空気の吹き出し速度より十分に低速である。そのため、駆動モータ２７によりポンプ２６を駆動しているものの、駆動モータ２７の消費電力は、ブロア１５を作動するための駆動モータ１６の消費電力よりも大幅に低いものとなり、消費電力が抑制される。また、本実施例では、空気吹き出し口１４ａ，１４ｂ，１４ｃ，１４ｄ，１４ｅから海洋生物付着防止液を吹き出しており、海水へ空気を吹き出すよりも少ない流量で海洋生物付着防止液を吹き出すことができ、この点でも消費電力が抑制される。
【００３９】
この場合、例えば、空気吹き出し口１４ａ，１４ｂ，１４ｃ，１４ｄ，１４ｅにおける海水の圧力が高いと、流量調整弁３５ａ，３５ｂ，３５ｃ，３５ｄ，３５ｅの開度を大きい側に調整することで、一定量の海洋生物付着防止液を吹き出すようにすることが望ましい。また、船舶が停泊しているときは、低速度で航行しているときよりも、空気吹き出し口１４ａ，１４ｂ，１４ｃ，１４ｄ，１４ｅに海洋生物が付着しやすいことから、より多くの海洋生物付着防止液を吹き出すようにすることが望ましい。
【００４０】
このように実施例１の船体摩擦抵抗低減装置にあっては、船体１１の船底部１２に空気吹き出し口１４ａ，１４ｂ，１４ｃ，１４ｄ，１４ｅを有する吹き出しチャンバ１３ａ，１３ｂ，１３ｃ，１３ｄ，１３ｅを固定し、吹き出しチャンバ１３ａ，１３ｂ，１３ｃ，１３ｄ，１３ｅに空気を供給する空気供給経路と、吹き出しチャンバ１３ａ，１３ｂ，１３ｃ，１３ｄ，１３ｅに海洋生物付着防止液を供給する海洋生物付着防止液供給経路と連結し、各経路に開閉弁２３，３４を設けることで、いずれか一方を選択的に連通可能としている。
【００４１】
従って、開閉弁２３を開放して開閉弁３４を閉止することで、空気吹き出し口１４ａ，１４ｂ，１４ｃ，１４ｄ，１４ｅ（吹き出しチャンバ１３ａ，１３ｂ，１３ｃ，１３ｄ，１３ｅ）に対して空気供給経路を連通させると、空気吹き出し口１４ａ，１４ｂ，１４ｃ，１４ｄ，１４ｅから船体１１の船底部１２に空気を吹き出し、船体１１の外面に作用する水の摩擦抵抗を低減することができる。一方、開閉弁２３を閉止して開閉弁３４を開放することで、空気吹き出し口１４ａ，１４ｂ，１４ｃ，１４ｄ，１４ｅ（吹き出しチャンバ１３ａ，１３ｂ，１３ｃ，１３ｄ，１３ｅ）に対して海洋生物付着防止液供給経路を連通させると、空気吹き出し口１４ａ，１４ｂ，１４ｃ，１４ｄ，１４ｅから海洋生物付着防止液を吹き出し、船体１１の空気吹き出し口１４ａ，１４ｂ，１４ｃ，１４ｄ，１４ｅへの海洋生物の付着を防止することができ、このとき、ブロア１５を停止することができることから、消費電力を抑制することができる。
【００４２】
また、実施例１の船体摩擦抵抗低減装置では、ブロア１５を主空気供給経路２１及び副空気供給経路２２ａ，２２ｂ，２２ｃ，２２ｄ，２２ｅを介して吹き出しチャンバ１３ａ，１３ｂ，１３ｃ，１３ｄ，１３ｅに連結すると共に、海洋生物付着防止装置３０を主海洋生物付着防止液供給経路３２及び副海洋生物付着防止液供給経路３３ａ，３３ｂ，３３ｃ，３３ｄ，３３ｅを介して副空気供給経路２２ａ，２２ｂ，２２ｃ，２２ｄ，２２ｅに連結し、主空気供給経路２１に開閉弁２３を設けると共に、主海洋生物付着防止液供給経路３２に開閉弁３４を設けている。従って、各開閉弁２３，３４を開閉操作するだけで容易に空気と海洋生物付着防止液とを切換えて供給することができる。
【００４３】
また、実施例１の船体摩擦抵抗低減装置では、船体１１の船底部１２に幅方向に沿って複数の吹き出しチャンバ１３ａ，１３ｂ，１３ｃ，１３ｄ，１３ｅを設け、この吹き出しチャンバ１３ａ，１３ｂ，１３ｃ，１３ｄ，１３ｅに空気吹き出し口１４ａ，１４ｂ，１４ｃ，１４ｄ，１４ｅを複数設け、副海洋生物付着防止液供給経路３３ａ，３３ｂ，３３ｃ，３３ｄ，３３ｅを副空気供給経路２２ａ，２２ｂ，２２ｃ，２２ｄ，２２ｅに連結している。従って、海洋生物付着防止液を副海洋生物付着防止液供給経路３３ａ，３３ｂ，３３ｃ，３３ｄ，３３ｅから副空気供給経路２２ａ，２２ｂ，２２ｃ，２２ｄ，２２ｅにそれぞれ供給することで、各吹き出しチャンバ１３ａ，１３ｂ，１３ｃ，１３ｄ，１３ｅの各空気吹き出し口１４ａ，１４ｂ，１４ｃ，１４ｄ，１４ｅに対して、主海洋生物付着防止液を適正に供給することができ、空気吹き出し口１４ａ，１４ｂ，１４ｃ，１４ｄ，１４ｅへの海洋生物の付着を適正に防止することができる。
【００４４】
また、実施例１の船体摩擦抵抗低減装置では、船舶の航行速度が予め設定されて所定の低速度以下のときに、空気吹き出し口１４ａ，１４ｂ，１４ｃ，１４ｄ，１４ｅに対して海洋生物付着防止液を供給している。従って、船体１１の外面に気泡層を形成して水の摩擦抵抗を十分に低減することができない所定の低速度以下のときに、空気吹き出し口１４ｂ，１４ｃ，１４ｄ，１４ｅに海洋生物付着防止液を供給することとなり、船体１１の外面に作用する水の摩擦抵抗の低減と、空気吹き出し口１４ａ，１４ｂ，１４ｃ，１４ｄ，１４ｅへの海洋生物の付着防止とを両立し、最適な消費電力の抑制を可能とすることができる。
【実施例２】
【００４５】
図２は、本発明の実施例２に係る船体摩擦抵抗低減装置に表す概略構成図である。なお、前述した実施例で説明したものと同様の機能を有する部材には同一の符号を付して重複する説明は省略する。
【００４６】
実施例２の船体摩擦抵抗低減装置において、図２に示すように、船舶における船体１１の船底部１２には、複数の吹き出しチャンバ１３ａ，１３ｂ，１３ｃ，１３ｄ，１３ｅが船体１１の幅方向に沿って直列に配置されている。そして、各吹き出しチャンバ１３ａ，１３ｂ，１３ｃ，１３ｄ，１３ｅは、下面部に複数の空気吹き出し口１４ａ，１４ｂ，１４ｃ，１４ｄ，１４ｅが船体１１の幅方向に沿って形成されている。
【００４７】
一方、船体１１の内部には、ブロア１５が設置され、このブロア１５は、空気供給管１８を介してメインチャンバ１９に連結されている。メインチャンバ１９には、主空気供給経路２１が連結され、この主空気供給経路２１は複数の副空気供給経路２２ａ，２２ｂ，２２ｃ，２２ｄ，２２ｅに分岐され、各副空気供給経路２２ａ，２２ｂ，２２ｃ，２２ｄ，２２ｅは各吹き出しチャンバ１３ａ，１３ｂ，１３ｃ，１３ｄ，１３ｅに連結されている。そして、主空気供給経路２１に、開閉弁２３が装着され、各副空気供給経路２２ａ，２２ｂ，２２ｃ，２２ｄ，２２ｅに、流量調整弁２４ａ，２４ｂ，２４ｃ，２４ｄ，２４ｅと、遮断弁２５ａ，２５ｂ，２５ｃ，２５ｄ，２５ｅが装着されている。
【００４８】
また、船体１１の内部には、ポンプ２６が設置され、このポンプ２６は、海水供給管２９を介して海洋生物付着防止装置３０に連結されている。海洋生物付着防止装置３０には、海洋生物付着防止液供給経路４１の基端部が連結され、この海洋生物付着防止液供給経路４１の先端部は主空気供給経路２１に連結されている。この場合、海洋生物付着防止液供給経路４１の先端部は、主空気供給経路２１における開閉弁２３より副空気供給経路２２ａ，２２ｂ，２２ｃ，２２ｄ，２２ｅ側に連結されている。そして、海洋生物付着防止液供給経路４１には、開閉弁４２と流量調整弁４３が装着されている。
【００４９】
そして、本実施例では、空気吹き出し口１４ａ，１４ｂ，１４ｃ，１４ｄ，１４ｅ（吹き出しチャンバ１３ａ，１３ｂ，１３ｃ，１３ｄ，１３ｅ）に対して、空気供給手段と海洋生物付着防止液供給手段のいずれか一方を選択的に連通させる切換手段を設けている。この場合、主空気供給経路２１に設けられた開閉弁（第１開閉弁）２３と、海洋生物付着防止液供給経路４１に設けられた開閉弁（第２開閉弁）４２が、本発明の切換手段として機能する。
【００５０】
従って、船舶が所定の低速度より速い航行速度で航行するとき、開閉弁２０，２３及び遮断弁２５ａ，２５ｂ，２５ｃ，２５ｄ，２５ｅを開放して主空気供給経路２１を連通する一方、開閉弁３１，４２を閉止して海洋生物付着防止液供給経路４１を遮断する。この状態で、駆動モータ１６によりブロア１５を作動すると、メインチャンバ１９に所定量・所定圧の空気が貯留された後、この空気が主空気供給経路２１から各副空気供給経路２２ａ，２２ｂ，２２ｃ，２２ｄ，２２ｅを通して吹き出しチャンバ１３ａ，１３ｂ，１３ｃ，１３ｄ，１３ｅに供給され、各空気吹き出し口１４ａ，１４ｂ，１４ｃ，１４ｄ，１４ｅから海水側に向けて空気が吹き出される。すると、船舶が航行する速度に応じて、各空気吹き出し口１４ａ，１４ｂ，１４ｃ，１４ｄ，１４ｅから吹き出された空気が船尾側に流れ、少なくとも船底部１２の外面に気泡層が形成される。そのため、船体１１外面に作用する水の摩擦抵抗が低減される。
【００５１】
そして、船舶の航行速度が所定の低速度以下となったり、港に停泊するときには、開閉弁２０，２３を閉止して主空気供給経路２１を遮断すると共に、駆動モータ１６を停止してブロア１５により空気の供給を停止する。一方、開閉弁３１，４２を開放して海洋生物付着防止液供給経路４１を連通する。この状態で、駆動モータ２７によりポンプ２６を作動し、海洋生物付着防止装置３０へ海水を供給すると、ここで海水を電気分解して次亜塩素酸ソーダを生成し、生成した次亜塩素酸ソーダを海水に混合して海洋生物付着防止液を生成する。そして、生成されたこの海洋生物付着防止液が海洋生物付着防止液供給経路４１から主空気供給経路２１に供給される。そして、海洋生物付着防止液が、主空気供給経路２１から各副空気供給経路２２ａ，２２ｂ，２２ｃ，２２ｄ，２２ｅを通して吹き出しチャンバ１３ａ，１３ｂ，１３ｃ，１３ｄ，１３ｅに供給され、各空気吹き出し口１４ａ，１４ｂ，１４ｃ，１４ｄ，１４ｅから海水側に向けて吹き出される。
【００５２】
すると、各空気吹き出し口１４ａ，１４ｂ，１４ｃ，１４ｄ，１４ｅから海洋生物付着防止液が吹き出されることで、この空気吹き出し口１４ａ，１４ｂ，１４ｃ，１４ｄ，１４ｅへの海洋生物の付着が防止される。
【００５３】
このように実施例２の船体摩擦抵抗低減装置にあっては、船体１１の船底部１２に幅方向に沿って複数の吹き出しチャンバ１３ａ，１３ｂ，１３ｃ，１３ｄ，１３ｅを設け、この吹き出しチャンバ１３ａ，１３ｂ，１３ｃ，１３ｄ，１３ｅに空気吹き出し口１４ａ，１４ｂ，１４ｃ，１４ｄ，１４ｅを複数設け、海洋生物付着防止液供給経路４１を主空気供給経路２１に連結している。従って、海洋生物付着防止液を海洋生物付着防止液供給経路４１から主空気供給経路２１に供給することで、海洋生物付着防止液供給経路４１の配管構成を簡素化し、設備の小型化及び低コスト化を可能とすることができる。
【００５４】
なお、上述した各実施例では、海洋生物付着防止液供給経路を主空気供給経路または副空気供給経路に連結したが、この構成に限定されるものではない。例えば、海洋生物付着防止液供給経路を吹き出しチャンバに直接連結してもよい。
【産業上の利用可能性】
【００５５】
本発明に係る船体摩擦抵抗低減装置は、空気吹き出し口に対して空気と海洋生物付着防止液のいずれか一方を選択的に供給可能とすることで、船体の空気吹き出し口への海洋生物の付着を防止すると共にそれにかかる消費電力を抑制可能とするものであり、いずれの船体にも適用することができる。
【図面の簡単な説明】
【００５６】
【図１】本発明の実施例１に係る船体摩擦抵抗低減装置を表す概略構成図である。
【図２】本発明の実施例２に係る船体摩擦抵抗低減装置を表す概略構成図である。
【符号の説明】
【００５７】
１１  船体
１２  船底部
１３ａ，１３ｂ，１３ｃ，１３ｄ，１３ｅ  吹き出しチャンバ
１４ａ，１４ｂ，１４ｃ，１４ｄ，１４ｅ  空気吹き出し口
１５  ブロア（空気供給源）
１９  メインチャンバ
２１  主空気供給経路
２２ａ，２２ｂ，２２ｃ，２２ｄ，２２ｅ  副空気供給経路
２３  開閉弁（第１開閉弁、切換手段）
２４ａ，２４ｂ，２４ｃ，２４ｄ，２４ｅ  流量調整弁
２５ａ，２５ｂ，２５ｃ，２５ｄ，２５ｅ  遮断弁
２６  ポンプ（海洋生物付着防止液供給源）
３０  海洋生物付着防止装置（海洋生物付着防止液供給源）
３２  主海洋生物付着防止液供給経路
３３ａ，３３ｂ，３３ｃ，３３ｄ，３３ｅ  副海洋生物付着防止液供給経路
３４  開閉弁（第２開閉弁、切換手段）
３５ａ，３５ｂ，３５ｃ，３５ｄ，３５ｅ  流量調整弁
４１  海洋生物付着防止液供給経路
４２  開閉弁（第２開閉弁、切換手段）
【図１】
2010120608.tif 000003
【図２】
2010120608.tif 000004